(57)【要約】【課題】  本木加飾部品のつき板より内側に面発光であるＥＬを設置することで、既存品からの厚さの大幅な増加を抑え、且つ、木目柄を全面ムラなく光らせることができる高い装飾性・美観性を持った本木加飾部品を提供することを目的とする。【解決手段】  基材２０の上に、ＥＬ層２１、接着材層２２、本木目の柄を有するつき板層２３、クリア層２４を順次積層してなるように構成する。【選択図】      図１
2005205669.tif 000002
【特許請求の範囲】
【請求項１】
基材（２０）の上に、ＥＬ層（２１）、接着材層（２２）、本木目の柄を有するつき板層（２３）、クリア層（２４）を順次積層してなることを特徴とする本木イルミネーション。
【請求項２】
基材（２７）の上にＥＬ層（２１）を積層したＥＬパーツ（２５）と、
光透過性基材（２７）の上に、つき板層（２３）及びクリア層（２４）を順次積層した本木パーツ（２６）とを形成し、
前記ＥＬパーツ（２５）の上に前記本木パーツ（２６）を組み付けてなること特徴とする本木イルミネーション。
【請求項３】
基材（２０）の上に、ＥＬ層（２１）、接着材層（２２）、木目柄を有するフィルム層（２９）、クリア層（２４）を順次積層してなることを特徴とする本木イルミネーション。
【発明の詳細な説明】
【技術分野】
【０００１】
本発明は、本木イルミネーションに関し、さらに詳しく述べると、自動車部品等の本木加飾部品のつき板の内側に光源となるＥＬを設置し、木目を光らせることにより、その装飾効果を高めた本木イルミネーションに関する。
【背景技術】
【０００２】
従来、自動車の内装において、機能的な部品のほかに装飾を目的とした部品がある。その中に加飾および装飾部品として木の柄が表現されたものがあり、本物の木を用いてその柄を表現したものを本木目、フィルムなどにより木の柄が擬似的に表現されたものは木目調と云われている。そして、それら部品がセンタークラスターやハンドル、又はオーナメントとしてインストルメントパネルやドアトリムに使用されている。
【０００３】
また近年、照明に装飾的な要素を持ったものが多く社内に取り入れられている。インストルメントパネル下の足元照明や、センタークラスターやピラーへの間接照明などは、照らすという照明機能に加え、ムードを演出するという役割をもっている。また、カラフルな色を取り揃えるなどして、照明がイルミネーションとしてつかわれている。
このように装飾部品の重要度が増す中で、特開２００２−２０５５００号のように自然の木目をＬＥＤによって光らせることにより、その柄による装飾効果を高め、夜間や外部照明がない状態でもその効果が得られる技術や、特表２００３−５２３８９１号のようにエレクトロルミネッセンス（以下ＬＥという）により、省スペースでファブリックを光らせる技術がある。
【０００４】
図４は特開２００２−２０５５００号公報に記載された技術を説明する図である。これは、つき板１の裏面に螢光体２を介して導光体３を配置し、その導光体３の裏面又は側面に対向して多数のＬＥＤ４を並べた光源５を配置して発光装飾装置を構成している。このような特開２００２−２０５５００号の技術を用いて車両の本木加飾部品を製作すると、従来のものに光源であるＬＥＤ４や導光体３が加わることにより、部品としてより厚いものとなってしまうことは必然である。これは従来の本木の加飾部品の取り付け構造において多大に影響を及ぼし、その構造に大幅な変更を強いられるものと予想される。
【０００５】
自動車の内部構造において、取り付けにはスペースが限られるケースが多く、この技術による部品の搭載が予想されるドアトリムやヘッドライナーは車両外板との間のスペースが狭く、特にこのケースに当てはまる。
また、光源が多数の場合には発光にムラが必ず生じる。この技術においては蛍光体層を介在させることによりこれを解消するとしているが、完全に発光ムラをなくすことは不可能である。部品側からの発光であるため、本木面積が広い場合にその中央では光が届きにくくなり、特に不利である。
【０００６】
なお、省スペース化を図る技術が特表２００３−５２３８９１号に記載されている。これは図５に示すように、基材６又はフォーム層７の何れか一方又はこれら両方に被着されたファブリック８を備え、ＥＬパネル９がファブリック８と基材６及び（又は）フォーム層７との間に設けられており、ＥＬパネル９の発光によりファブリック８を光らすことができるようになっている。しかし、この技術も省スペース化は図れるが、ＥＬパネル９が点灯していないときはファブリック８はそのままであり、装飾的・美観的に優れているとは言い難い。
【特許文献１】特開２００２−２０５５００号公報
【特許文献２】特表２００３−５２３８９１号公報
【発明の開示】
【発明が解決しようとする課題】
【０００７】
本発明は、上記のような従来の技術の問題点を解決することを目的とする。
本発明の目的は、本木加飾部品のつき板より内側に面発光であるＥＬを設置することで、既存品からの厚さの大幅な増加を抑え、且つ、木目柄を全面ムラなく光らせることができる高い装飾性・美観性を持った本木加飾部品を提供することにある。
本発明の上記したような目的やその他の目的は、以下の詳細な説明から容易に理解することができるであろう。
【課題を解決するための手段】
【０００８】
本発明の請求項１は、基材２０の上に、ＥＬ層２１、接着材層２２、本木目の柄を有するつき板層２３、クリア層２４を順次積層してなることを特徴とする。また、請求項２は、基材２７の上にＥＬ層２１を積層したＥＬパーツ２５と、光透過性基材２７の上に、つき板層２３及びクリア層２４を順次積層した本木パーツ２６とを形成し、前記ＥＬパーツ２５の上に前記本木パーツ２６を組み付けてなること特徴とする。また、請求項３は、基材２０の上に、ＥＬ層２１、接着材層２２、木目柄を有するフィルム層２９、クリア層２４を順次積層してなることを特徴とする。
【発明の効果】
【０００９】
本発明によれば、以下の詳細な説明から理解されるように、自動車部品等の本木加飾部品のつき板の内側に光源となるＥＬを設置したことにより、木目柄をムラなく光らせることができ、発光面積の広いものに対してもその効果が全域に渡って変化しないようにできる。またＥＬの厚さが薄いことで、既存品からの厚さの大幅な増加を抑えることができる。このことは、部品の車両への取り付けにおけるスペース取りの大幅な増加を回避させることにつながり、機能の追加に伴う設計の変更を最小限に留めることができる。このように本発明は、装飾性及び設計の双方にもメリットを得ることができる。
【発明を実施するための最良の形態】
【００１０】
引き続いて、本発明をその実施例を参照して説明する。なお、本発明は、これらの実施例によって限定されるものでないことは言うまでもない。
図１は本発明の本木イルミネーションの第１実施例を示す図で、（ａ）は断面図、（ｂ）は分解斜視図である。
【００１１】
本実施例の本木イルミネーションは同図（ｂ）に示すように、基材２０、ＥＬ層２１、接着材層２２、本木目の柄を有するつき板層２３、クリア層１４の各部材からなり、同図（ａ）の如く基材２０の上にＥＬ層２１、接着材層２２、つき板層２３、クリア層２４の順に積層されて一体化されている。
そして、前記ＥＬ層２１はフィルム状で電源の印加により面発光するものであり、つき板層２３は、木目の美しい本物の木を薄くスライスしたもので、透光性を有するものである。
【００１２】
このように構成された第１本実施例は、ＥＬ層２１の電極を電源に接続し、電圧を印加することにより発光させる。この発光によりつき板層２３の木目柄をムラなく光らせることができ、且つ発光面積の広いものに対してもその効果が全域に渡って変化しない。またＥＬ層２１の厚さが薄いことで、図４に示したＬＥＤを用いる従来品に比して厚さを薄くすることができる。このことは、部品の車両への取り付けにおけるスペース取りの大幅な増加を回避させることにつながり、機能の追加に伴う設計の変更を最小限に留めることができる。
【００１３】
図２は本発明の本木イルミネーションの第２実施例を示す図で、（ａ）は断面図、（ｂ）は分解斜視図である。本実施例は（ｂ）図の如く、ＥＬパーツ２５と本木パーツ２６とよりなり、ＥＬパーツ２６は基材２８の上にＥＬ層２１が積層され、本木パーツ２６は光透過性基材２７の上につき板層２３、クリア層２４が順次積層され一体化されている。なお、前記ＥＬ層２１、つき板層２３、クリア層２４は前実施例と同様のものであるが、光透過性基材２７は光を透過する材料を用いて基材２１８と組み合わせ可能な形状に形成されている。そして光透過性基材２７と基材２８を組み合わせることにより、（ａ）図の如くＥＬパーツ２５と本木パーツ２６とが一体化される。
【００１４】
このように構成された本第２実施例は、前実施例と同様な作用効果を有する上、本木パーツ２６とＥＬパーツ２５の組み合わせを変えることができ部品交換性を持たせることができる。
【００１５】
図３は本発明の本木イルミネーションの第３実施例を示す図で、（ａ）は断面図、（ｂ）は分解斜視図である。本実施例が、第１実施例と異なるところは、つき板層２３が異なっているのみである。すなはち、第１実施例の本木目の柄を有するつき板層２３を本第３実施例では本木目柄の光を通すフィルム層２９としたことである。
このように構成された本第３実施例は第１実施例と同様な作用・効果を有する上、コストダウンを図ることができる。
【産業上の利用可能性】
【００１６】
以上、本発明を特にその最良の形態について説明した。最後のまとめとして、本発明の構成及びそのバリエーションを以下に付記として列挙する。
前記実施例は自動車の部品を対象に説明したが、その他、家電機器、オーデオ機器等にも応用可能である。
【図面の簡単な説明】
【００１７】
【図１】本発明の本木イルミネーションの第１実施例を示す図で、（ａ）は断面図、（ｂ）は分解斜視図である。
【図２】本発明の本木イルミネーションの第２実施例を示す図で、（ａ）は断面図、（ｂ）は分解斜視図である。
【図３】本発明の本木イルミネーションの第３実施例を示す図で、（ａ）は断面図、（ｂ）は分解斜視図である。
【図４】従来の発光装飾装置を示す分解斜視図である。
【図５】従来のエレクトロルミネッセンスパネルを用いた乗物用室内照明システムを示す断面図である。
【符号の説明】
【００１８】
２０，２８…基材
２１…ＥＬ層
２２…接着材層
２３，２９…つき板層
２４…クリア層
２５…ＥＬパーツ
２６…本木パーツ
２７…光透過性基材
【図１】
2005205669.tif 000003
【図２】
2005205669.tif 000004
【図３】
2005205669.tif 000005
【図４】
2005205669.tif 000006
【図５】
2005205669.tif 000007